(57)【要約】【課題】水平旋回可能な天板を備えている天板付家具の使い勝手の向上を図る。【解決手段】幅方向に延伸した横架部材２と、前記横架部材２に支持させた支持部材４と、略鉛直な軸Ａ回りに回動可能であるように基端側を支持部材４に支持させた天板５とを具備する天板付家具１において、天板５の基端側の周縁を平面視略部分円弧状に成形した。  【選択図】図３
2008119343.tif 000002
【特許請求の範囲】
【請求項１】
幅方向に延伸した横架部材と、
前記横架部材に支持させた支持部材と、
略鉛直な軸回りに回動可能であるように基端側を支持部材に支持させた天板とを具備する天板付家具であって、
天板の基端側の周縁を平面視略部分円弧状に成形していることを特徴とする天板付家具。
【請求項２】
天板の基端側の周縁を平面視この天板の回動中心を中心とした部分円弧状に成形している請求項１記載の天板付家具。
【請求項３】
支持部材が横架部材に沿ってスライド移動可能である請求項１または２記載の天板付家具。
【請求項４】
天板を回動させる際にこの天板が平面視横架部材の上面部に重なることのないように天板の基端側の周縁を成形している請求項１または２記載の天板付家具。
【請求項５】
横架部材の前後両側に支持部材を配し、それら各支持部材に前側天板、後側天板をそれぞれ支持させており、
前側天板と後側天板とのうち一方の天板を回動させる際にこの天板が平面視他方の天板に重なることのないように天板の基端側の周縁を成形している請求項１または２記載の天板付家具。
【発明の詳細な説明】
【技術分野】
【０００１】
本発明は、可動の天板を備える天板付家具に関する。
【背景技術】
【０００２】
天板を水平旋回させ得る天板付家具が既知である（例えば、下記特許文献を参照）。このようなものであると、家具全体を持ち上げて移動させなくとも天板の向きを任意に変更することができ、使用時のフレキシビリティが増す。
【特許文献１】実用新案登録第３０４４２５５号公報
【発明の開示】
【発明が解決しようとする課題】
【０００３】
天板の旋回操作を行う際には、その天板の隅角部が他の家具・什器類や建築構造物の壁面等に干渉してしまう問題が必然的に発生する。上記例の天板付家具では、天板を手前方に引き出した上で所望の角度位置まで水平旋回させ、しかる後に天板を再び奥方に押し戻すようにすることで、天板の隅角部と他の家具等との干渉を回避している。しかしながら、天板を引き出したり押し戻したりする操作が煩雑である点は否めず、また、天板を引き出すために十分なスペースを確保できないと天板の旋回操作が不能になるという不都合もあった。
【０００４】
以上に鑑みてなされた本発明は、水平旋回可能な天板を備えている天板付家具の使い勝手の向上を図ることを所期の目的としている。
【課題を解決するための手段】
【０００５】
上述した課題を解決するべく、本発明では、幅方向に延伸した横架部材と、前記横架部材に支持させた支持部材と、略鉛直な軸回りに回動可能であるように基端側を支持部材に支持させた天板とを具備する天板付家具において、天板の基端側の周縁を平面視略部分円弧状に成形することとした。これにより、天板の旋回操作を行う際に天板の隅角部が他の家具等に干渉する問題を有効に回避でき、しかも天板を引き出したり押し戻したりする余計な操作も不要となる。
【０００６】
天板の基端側の周縁を平面視この天板の回動中心を中心とした部分円弧状に成形すれば、回動中心を天板の内側に少しでも近づけることができる。即ち、天板の基端側を支持している支持機構にかかる負荷を多少なりとも軽減できる。
【０００７】
支持部材が横架部材に沿ってスライド移動可能であれば、横架部材に沿った任意の位置で天板を旋回操作してその向きを変更できる。総じて、天板をより自由に移動させることが可能となる。
【０００８】
天板を回動させる際にこの天板が平面視横架部材の上面部に重なることのないように天板の基端側の周縁を成形していれば、横架部材の上面部に所定のオプション部材を取り付けることのできるオプション取付部を設けている場合に、天板がオプション取付部に覆い被さってしまう不都合が発生しない。
【０００９】
また、横架部材の前後両側に支持部材を配し、それら各支持部材に前側天板、後側天板をそれぞれ支持させている場合には、前側天板と後側天板とのうち一方の天板を回動させる際にこの天板が平面視他方の天板に重なることのないように天板の基端側の周縁を成形することが望ましい。
【発明の効果】
【００１０】
本発明によれば、水平旋回可能な天板を備えている天板付家具の使い勝手を向上せしめることができる。
【発明を実施するための最良の形態】
【００１１】
以下、本発明の一実施形態を、図面を参照して説明する。本実施形態の天板付家具たるデスク１を、図１ないし図５に示す。このデスク１は、ベース支持体（または、デスク１の脚体）３と、ベース支持体３に横架させた幅方向に延伸する横架部材たるベース２と、ベース２に沿ってスライド移動可能な支持部材たる天板支持体４と、天板支持体４に基端側を支持させた天板５と、天板５の先端側を支持する床面に接地した天板脚６とを具備する。但し、図１は、デスク１を二基連結して構築したオフィス構成システムを示しており、原則として両デスク１の各部材２、３、４、５、６は略同等である。
【００１２】
図２ないし図４に示すように、ベース２は、直線的な四角柱状の概形をなし、床面から浮上しており、その前後の起立面部２１に天板支持体４のスライド移動を案内する天板用ガイド２ａを設けている。天板用ガイド２ａは、ベース２の略全幅に亘って形成したレール２１１を利用してなる。図示例では、各起立面部２１に、上下方向に離間し互いに略平行な複数本（二本）の凹溝状のレール２１１を形成しており、これらを以て天板用ガイド２ａとしている。ベース２の上面部２２には、オプション取付部たるオプション部材用ガイド２ｂを設けている。オプション部材用ガイド２ｂは、ベース２の略全幅に亘って形成したレール２２１を利用してなる。図示例では、上面部２２に、前後方向に離間し互いに略平行な複数本（四本）の凹溝状のレール２２１を形成しており、これらを以てオプション部材用ガイド２ｂとしている。ベース２の両側端部には、ベース２の側方を閉塞するエンドキャップ２３を装着する。エンドキャップ２３は、ベース２から取り外すことができる。
【００１３】
図１に示すように、ベース支持体３は、左右に一対が存在し、ベース２の両側端部をそれぞれ支持している。ベース支持体３は、前後寸法がベース２のそれと略同一で幅寸法がそれよりも薄い扁平形状をなす。ベース支持体３の前端部及び／または後端部には、前後方向に伸長した補助支持体３４、３５を剛結することができる。
【００１４】
図２ないし図４に示すように、天板支持体４は、天板５を支持する天板受け部４１と、ベース２の天板用ガイド２ａ（の一本または複数本のレール２１１）に案内される被ガイド部４２とを備えている。天板受け部４１は、被ガイド部４２からベース２の延伸方向（即ち、幅方向）に対して直交する方向（即ち、前後方向）に伸長している。
【００１５】
天板５は、天板本体５１と、天板本体５１の下方に設けた旋回機構５２とを備えている。旋回機構５２は、例えばスラストベアリング等を用いてなり、天板本体５１を天板支持体４に対し略垂直な軸回りに回動可能とする機構である。旋回機構５２は、天板本体５１が天板支持体４に対して水平旋回することを許容する状態と、天板本体５１が水平旋回することを禁止する状態とを切り替えることができ、水平旋回を禁ずる状態では天板本体５１を天板受け部４１に圧接して両者間の摩擦により天板本体５１を保定する。天板本体５１は、平面視中間部の両縁がややくびれた略長円状をなす板状体で、その長手寸法はベース２の幅寸法に略等しいかまたはベース２の幅寸法よりも若干小さい。図３及び図４に示すように、天板本体５１の基端側の周縁は、平面視天板本体５１の回動中心Ａを中心とした略半円弧状に成形してある。
【００１６】
天板脚６は、天板５の先端側を支持する脚本体６１と、脚本体６１の下端部に取り付けたキャスタ６２とを備えている。尤も、キャスタ６２は必須でない。
【００１７】
デスク１の天板５は、被ガイド部４２を介して天板支持体４とともにベース２に沿った幅方向にスライド移動させることができ、旋回機構５２を介し基端側に回動中心Ａを設定して先端側を略鉛直な軸回りに回動させることもできる。つまるところ、天板５のベース２及びベース支持体３に対する相対的な位置や向きを任意に変更可能である。図３及び図４からも明らかなように、ベースの上面部２２は、天板５の基端側の周縁即ち回動中心Ａを中心とした部分円弧の外側にあるため、天板５のスライド移動時、並びに回動時に、天板５の基端側がベース２の上面部２２に平面視重なることはなく、上面部２２にあるオプション部材用ガイド２ｂに平面視重なることもない。
【００１８】
デスク１のベース２には、各種のオプション部材を取り付けることができる。オプション部材は、例えばデスクトップパネル、収納庫や棚、トレー、照明装置、電源コンセント、配線収納具、電話載置台、ディスプレイを支持するディスプレイアーム、等々である。図示例のオプション部材７は、デスクトップパネルである。
【００１９】
図２に示すように、デスクトップパネル７は、その下端部に、ベース２のオプション部材用ガイド２ｂ（の一本または複数本のレール２２１）に案内される被ガイド部７１を設けてあるもので、被ガイド部７１を介してベース２の上面部２２への取り付けが可能である。図示例では、オプション部材７に被ガイド部７１を一体的に設けているが、オプション部材と被ガイド部とを別体とし、被ガイド部を共通化しつつその被ガイド部に各種のオプション部材を選択的に装着できるようにする態様を妨げない。
【００２０】
オプション部材７は、被ガイド部７１を介してベース２に沿った幅方向にスライド移動させることができる。つまるところ、オプション部材７のベース２及びベース支持体３に対する相対的な位置を任意に変更可能である。従って、天板５の位置や向きに応じて、オプション部材７を、ワーカの作業性を向上せしめる最適位置に配置できる。
【００２１】
また、図５に示すように、本実施形態のデスク１は、ベース２の前後両側の起立面部２１に存在する天板用ガイド２ａを利用して、前後に天板支持体４を配し、それら各天板支持体４にそれぞれ天板５を支持させることが可能である。前側の天板５、後側の天板５の何れについても、スライド移動や回動に伴って天板５の基端側がベース２の上面部２２にあるオプション部材用ガイド２ｂに平面視重なることはない。従って、前側の天板５を回動させる際にその天板５が平面視後側の天板５に重なることはなく、後側の天板５を回動させる際にその天板５が平面視前側の天板５に重なることもない。
【００２２】
本実施形態によれば、幅方向に延伸した横架部材２と、前記横架部材２に支持させた支持部材４と、略鉛直な軸Ａ回りに回動可能であるように基端側を支持部材４に支持させた天板５とを具備する天板付家具１において、天板５の基端側の周縁を平面視略部分円弧状に成形したため、天板５の旋回操作を行う際に天板５の隅角部が他の家具等に干渉する問題を有効に回避でき、しかも天板５を引き出したり押し戻したりする余計な操作も不要となる。
【００２３】
天板５の基端側の周縁を平面視この天板５の回動中心Ａを中心とした部分円弧状に成形しているため、回動中心Ａを天板５の内側に少しでも近づけることができる。よって、天板５の基端側を支持している支持機構（天板用ガイド２ａ、被ガイド部４２、天板受け部４１等）にかかる負荷を多少なりとも軽減できる。
【００２４】
支持部材４が横架部材２に沿ってスライド移動可能であるため、横架部材２に沿った任意の位置で天板５を旋回操作してその向きを変更できる。総じて、天板５をより自由に移動させることが可能となる。
【００２５】
横架部材２の上面部２２に所定のオプション部材７を取り付けることのできるオプション取付部２ｂを設けており、天板５を回動させる際にこの天板５が平面視横架部材２のオプション取付部２ｂに重なることのないように天板５の基端側の周縁を成形しているため、天板５とオプション部材７との干渉を回避できる。
【００２６】
また、横架部材２の前後両側に支持部材４を配し、それら各支持部材４に前側天板５、後側天板５をそれぞれ支持させるものとし、前側天板５と後側天板５とのうち一方の天板５を回動させる際にこの天板５が平面視他方の天板５に重なることのないように天板の基端側の周縁を成形しているため、前後両側に天板５を配設して多人数で使用する場合にも天板５の移動や配置変更を円滑に行い得る。
【００２７】
なお、本発明は以上に詳述した実施形態に限られるものではない。特に、天板の平面視形状や天板の回動角度範囲は、上記実施形態の態様には限られない。また、天板が横架部材に沿って必ずスライド移動可能であるとも限られない。
【００２８】
その他各部の具体的構成は上記実施形態に限られるものではなく、本発明の趣旨を逸脱しない範囲で種々変形が可能である。
【図面の簡単な説明】
【００２９】
【図１】本発明の一実施形態の天板付家具を示す斜視図。
【図２】同天板付家具の要部側面図。
【図３】同天板付家具の要部平面図。
【図４】同天板付家具の要部平面図。
【図５】同天板付家具の使用態様を模式的に示す平面図。
【符号の説明】
【００３０】
１…天板付家具
２…横架部材
４…支持部材
５…天板
Ａ…天板の回動中心
【図１】
2008119343.tif 000003
【図２】
2008119343.tif 000004
【図３】
2008119343.tif 000005
【図４】
2008119343.tif 000006
【図５】
2008119343.tif 000007